(57)【要約】【課題】  本考案は、設置が容易で十分な固定がなされた無線基地局付き自動販売機を提供することを目的とする。【解決手段】  上記課題を解決するため、本考案の無線基地局付き自動販売機は、自動販売機の上面に載置された無線基地局が、該自動販売機の側部及び該無線基地局の側部にまたがって固着された取付具により固定されてなることを特徴とする。【選択図】        図１
0003110557.tif 000002
【実用新案登録請求の範囲】
【請求項１】
自動販売機の上面に載置された無線基地局が、該自動販売機の側部及び該無線基地局の側部にまたがって固着された取付具により固定されてなることを特徴とする無線基地局付き自動販売機。
【請求項２】
前記自動販売機の側部及び前記無線基地局の側部は、前記取付具が有する一つの支持面に対して各々固着され、当該側部同士が同一平面をなすように固定されてなることを特徴とする請求項１に記載の無線基地局付き自動販売機。
【請求項３】
前記自動販売機の背面に前記取付具が固着されてなることを特徴とする請求項１または２に記載の無線基地局付き自動販売機。
【請求項４】
前記無線基地局は、前記自動販売機の上面の隅部に載置されてなることを特徴とする請求項１ないし３のいずれか１項に記載の無線基地局付き自動販売機。
【請求項５】
前記無線基地局は、前記自動販売機からの電源供給により動作可能であることを特徴とする請求項１ないし４のいずれか１項に無線基地局付き自動販売機。
【請求項６】
前記無線基地局は、無線ＬＡＮ基地局であることを特徴とする請求項１ないし５のいずれか１項に無線基地局付き自動販売機。
【考案の詳細な説明】
【技術分野】
【０００１】
本考案は、無線基地局付き自動販売機に関する。
【背景技術】
【０００２】
近年、無線ＬＡＮによるインターネット接続サービスを、街中などの人の集まる場所で不特定多数の利用者に提供する公衆エリア無線ＬＡＮサービスが、急速に広まりつつある。そのため、これを実現する無線ＬＡＮ基地局が街中の至る所に設置されている。
【考案の開示】
【考案が解決しようとする課題】
【０００３】
上記のような無線基地局は、通常、電柱、駅、店舗内などに設置されることが多いが、設置が困難で手間がかかるという問題がある。また、街中などに設置される設置物（自動販売機等）に無線基地局をあらかじめ配したものも見られるが、かかる問題を十分に解決するには至っていない。
【０００４】
本考案は、上記問題に鑑みて為されたものであり、設置が容易で十分な固定がなされた無線基地局付き自動販売機を提供することを目的とする。
【課題を解決するための手段・考案の効果】
【０００５】
上記課題を解決するため、本考案の無線基地局付き自動販売機は、自動販売機の上面に載置された無線基地局が、該自動販売機の側部及び該無線基地局の側部にまたがって固着された取付具により固定されてなることを特徴とする。
【０００６】
上記本考案によると、側部同士を取付具により連結することで、簡易な構成で無線基地局を良好に固定することが可能である。すなわち、他の構成では、位置ズレが生じないように無線基地局を取り囲む等して取付具の取付箇所を増やす必要があるが、本考案の構成では、側部同士を連結することで位置ズレの防止が可能となり、取付具の取付箇所が少なくても良好に固定をすることができるのである。ここで、自動販売機又は無線基地局の側部とは、上面と辺を共有する全ての面を指し、例えば自動販売機における正面、背面及び側面といった面を含むものである。
【０００７】
また、無線基地局が自動販売機の上面に載置されているのは、例えば、無線基地局を自動販売機に内蔵させた場合にはアンテナを外部へ引き出す等の手間が必要となるため、そのような手間を回避するためである。さらには、無線基地局を自動販売機の側部に取付た場合には、限られたスペースに設置しなければならない自動販売機にとって不都合となる。
【考案を実施するための最良の形態】
【０００８】
以下、本考案の一実施形態について、図面を参照しながら説明する。図１は、本実施形態に係る無線基地局付き自動販売機１の全体を概略的に表す斜視図である。
【０００９】
無線基地局付き自動販売機１を構成する自動販売機２は、例えば飲食物等の商品を無人で販売する装置であり、その正面に、商品を表示するとともに選択ボタンを有するディスプレイ部２ａと、コイン投入口、返却レバー及び釣銭返却口等を有する対価処理部２ｂと、選択された商品を排出する商品排出口２ｃなどを備えてなる。そして、これらは、ＣＰＵ，ＲＯＭ，ＲＡＭ，Ｉ／Ｏ等からなるマイコンを主体として構成された制御装置（図５参照）によって自動販売機としての機能を実現する。
【００１０】
自動販売機２の上面２１には、無線ＬＡＮ基地局（無線基地局）３が載置されている。詳しくは、図１及び３に示すように、無線ＬＡＮ基地局３は自動販売機２の上面２１の隅部に載置されており、下記の構成による固定を容易にするとともに、外観上のまとまりを生み出している。無線ＬＡＮ基地局３は、無線ＬＡＮによるインターネット接続サービスを不特定多数の利用者に提供するものであって、基地局を中心とする一定の範囲内において、通信端末（例えば、ノートＰＣ，ＰＤＡ，携帯電話等）を所持する利用者はインターネットにアクセスし得る。
【００１１】
また、無線ＬＡＮ基地局３は、図５に示すように、自動販売機２からの電源供給により動作可能である。すなわち、自動販売機２に内蔵された電源は、商用交流電源（ＡＣ電源）からの電力を直流（ＤＣ）に変換しつつ、自動販売機の制御装置及び無線ＬＡＮ基地局３へ供給する。ここで、自動販売機２は、電源供給ラインを無線ＬＡＮ基地局３を取付るべき部位まで予め配線しておくと、無線ＬＡＮ基地局３用の電源供給ラインを別途引き回す手間が不要となる。
【００１２】
自動販売機２と無線ＬＡＮ基地局３は、図２に示すように、両方の側部（本実施形態では両方の背面２３，３３）にまたがって固着された取付具４により固定されてなる。詳しくは、帯状部材４１が、自動販売機２の背面２３と無線ＬＡＮ基地局３の背面３３とにまたいだ状態で当接しており、そのそれぞれに対してボルト等の留具４２，４３により固着されている。このように、側部同士を連結することで、例えば留具４２，４３の数を過度にすることなく、簡易な構成で無線ＬＡＮ基地局３を良好に固定することが可能である。なお、自動販売機２の背面２３に取付具４が固着されているのは、取付具４が目立たないようにするためである。ここで、自動販売機２の背面とは、自動販売機２の側部のうち、ディスプレイ部２ａ等を備える側を正面として、その裏側の面のことを指す。
【００１３】
また、図２（ａ）に示すように、自動販売機２の側部（背面２３）及び無線基地局３の側部（背面３３）は、取付具４が有する一つの支持面４ａに対して各々固着され、当該側部２３，３３同士が同一平面をなすように固定されている。すなわち、取付具４において、帯状部材４１の一方の面を支持面４ａとし、当該面４ａにそれぞれの背面２３，３３を留具４２，４３により固着する。このように、両背面２３，３３を同一平面をなすように固定することで、取付具４の留具４２，４３の間の距離をより短縮できる等の理由によって、無線ＬＡＮ基地局３の固定をより強固なものとすることが可能となる。
【００１４】
なお、取付具４は、図４に示すような形態とすることもできる。すなわち、帯状部材４´を、同方向を向いた第一支持面４ｂ及び第二支持面４ｃを有する段差形状とし、各支持面４ｂ，４ｃを自動販売機２の背面２３及び無線基地局３の背面３３に当接させて、留具４２，４３を用いて固着するものとする。このような形状によっても、無線ＬＡＮ基地局３の固定をより強固なものとすることが可能である。
【００１５】
以上、本考案の実施形態について説明したが、本考案はこの構成に限られるものではない。例えば、無線基地局３は、無線ＬＡＮ基地局に限らず、ＰＨＳ（簡易型携帯電話システム）の様な小型セル方式の無線通信システムの端末基地局として構成することも可能である。
【図面の簡単な説明】
【００１６】
【図１】本考案の無線基地局付き自動販売機の全体を概略的に表す斜視図
【図２】取付具が取付られた背面側の拡大図
【図３】上面側から見た図
【図４】取付具の変形例を表す図
【図５】無線基地局付き自動販売機の電気的構成を表すブロック図
【符号の説明】
【００１７】
１    無線基地局付き自動販売機
２    自動販売機
３    無線基地局
４    取付具
【図１】
0003110557.tif 000003
【図２】
0003110557.tif 000004
【図３】
0003110557.tif 000005
【図４】
0003110557.tif 000006
【図５】
0003110557.tif 000007